(57)【要約】      （修正有）【課題】履き口が履き易く、履いた後の足の甲及び足の側面前部に対する高いフィット感を実現すると共に、歩行時に足がずれ難いよう安定性を高めることができる婦人靴を提供する。【解決手段】爪先部から踵部までを覆うと共に履き口を形成するアッパーを備えた婦人靴であって、少なくとも足の甲を覆う甲被部及び足の側面前部を覆う側周囲前部が、柔軟性を有すると共に形状の復元力を備えた伸縮性のある甲皮材からなるアッパーと、前記履き口の内周縁に縫着される伸縮性を有した紐状の縁部材と、前記甲被部裏面を被覆すると共に当該甲被部裏面に接着により保持された伸縮性のあるシート状の甲被部補強シートとを備える。【選択図】図１
0003157814.tif 000002
【実用新案登録請求の範囲】
【請求項１】
爪先部から踵部までを覆うと共に履き口を形成するアッパーを備えた婦人靴であって、
少なくとも足の甲を覆う甲被部及び足の側面前部を覆う側周囲前部が、柔軟性を有すると共に形状の復元力を備えた伸縮性のある甲皮材からなるアッパーと、
前記履き口の内周縁に縫着される伸縮性を有した紐状の縁部材と、
前記甲被部裏面を被覆すると共に当該甲被部裏面に接着により保持された伸縮性のあるシート状の甲被部補強シートとを備える
ことを特徴とする婦人靴。
【考案の詳細な説明】
【技術分野】
【０００１】
本考案は、爪先から踵部までが柔軟性及び伸縮性を有するアッパーにより覆われた婦人靴に関する。
【背景技術】
【０００２】
婦人靴は、靴本体の履き口の周囲を含む爪先から踵部までがアッパーにより覆われたタイプが広く普及している。このような婦人靴は、個人個人の足の形状にフィットするようにアッパーの柔軟性及び伸縮性を良くするのが好ましいが、歩行時に足がずれないよう安定性を保つ必要があることから、一定の硬さを有するように製作されている。
【０００３】
この一例として、良好な着用感を得ることを目的とした婦人靴が提案されている（特許文献１参照）。
【０００４】
この婦人靴は、靴本体に衝撃吸収性を有する部材を使用し、内甲踏まず部から踵後部、外甲側部にかけて立体曲面の形状をしたカップインソールを靴内に装填している。これにより、靴内における足の前後へのピストン運動を抑制して、歩行時の足の安定と良好な着用感を提供することができるものである。
【先行技術文献】
【特許文献】
【０００５】
【特許文献１】実用新案登録第３０９８９１８号
【考案の概要】
【考案が解決しようとする課題】
【０００６】
しかし、上記特許文献１従来の婦人靴は、アッパーが一定の硬さを有しているので、履き口に足を入れる際の伸縮性に乏しい。従って、婦人靴を履く際に甲被部分や履き口の周囲が外方に拡がらず、甚だ履き難いという欠点があった。
【０００７】
また、履く人の足幅や足の形状には、個人差があることから、甲被を含むアッパーの柔軟性及び伸縮性が乏しいと、窮屈な場合に長時間履いていると足に痛みを感じたり、逆に、歩行時に靴内で足が移動して不安定となる等の難点があった。
【課題を解決するための手段】
【０００８】
本考案に係る婦人靴は、前記課題を解決するために、爪先部から踵部までを覆うと共に履き口を形成するアッパーを備えた婦人靴であって、少なくとも足の甲を覆う甲被部及び足の側面前部を覆う側周囲前部が、柔軟性を有すると共に形状の復元力を備えた伸縮性のある甲皮材からなるアッパーと、前記履き口の内周縁に縫着される伸縮性を有した紐状の縁部材と、前記甲被部裏面を被覆すると共に当該甲被部裏面に接着により保持された伸縮性のあるシート状の甲被部補強シートとを備えることを特徴とする。
【０００９】
甲被部は、足の甲の前部を覆うものであることが好ましく、より好ましくは足の甲の前部に加えて足の甲の側周部まで覆うものであり、さらに好ましくは前記足の甲の前部及び側周部に加えて足の甲の頂部まで覆うものである。
【００１０】
本発明に用いられるアッパーは、柔軟性を有すると共に伸び縮み可能でアッパー形状の復元力を備えた伸縮性を有する甲皮材からなる。アッパーが伸縮性を有することにより、靴本体の履き口に足を入れるとき、足の甲の押圧力を受けてアッパーが外方に拡がり、婦人靴を容易に履くことができる。
【００１１】
また、アッパーを構成する前記甲皮材は柔らかくしなやかに形状を変化させることができる柔軟性も有するため、個人個人の足の形に添って変形することでフィット感のある履き心地を実現することができる。
【００１２】
さらに、婦人靴を履いた後はアッパーの形状を元に復元させようとする伸縮性によって、足の甲及び足の側面前部の形状に沿って足をしっかりと保持することができる。そのため、窮屈さで痛みを感じたり、逆に、歩行時に足が移動して不安定となるといった不具合が解消される。
【００１３】
アッパーは、少なくとも足の甲を覆う甲被部及び足の側面前部を覆う側周囲前部が、柔軟性を有すると共に形状の復元力を備えた伸縮性のある甲皮材からなるように構成されるが、アッパー全体が前記甲皮材によって構成されていても好ましい。アッパー全体が前記甲皮材によって構成されていることで婦人靴に触れている部分の足全体の形に添ったフィット感のある履き心地を実現することができ、また、爪先から踵までの形状に沿って足をしっかりと保持することができるからである。
【００１４】
このような利点を十分に実現するために、甲皮材は特にポリウレタン糸を用いて形成されることが好ましい。ポリウレタン糸はゴムよりも強い伸縮性を備えるだけでなく細い繊維状に形成することが容易であるため、アッパーを上下左右に伸び縮み可能に形成することが可能である。これにより、柔軟性を有すると共に形状の復元力を備えた伸縮性のあるアッパーが実現できるからである。
【００１５】
また、ポリウレタン糸はゴムと比較して塗装しやすいため、天然皮革や合成皮革と組み合わせてもポリウレタン糸が目立ちにくくすることが容易である。
【００１６】
履き口の内周縁に逢着される紐状の縁部材は、伸縮性を有している。これにより、縁部材は履き口を径方向に拡径させることが可能であり、アッパーの履き口の伸縮性を損なわずに靴の履き易さを維持することができる。また、縁部材は拡径した履き口を元の形状に戻す収縮力も備え、この収縮力によりしっかりと足を保持することができる。さらに、縁部材はアッパーの履き口の強度を補強することができ、また、縁部材によって履き口を装飾することもできる。
【００１７】
紐状の縁部材は、ゴムを用いて紐状に形成されたものであることが好ましい。
【００１８】
甲被部補強シートは、伸縮性を有するシートであり、上下左右に伸び縮み可能な性質を有するものである。甲被部補強シートはポリウレタン糸、又はゴムを用いて形成されることが好ましく、より好ましくは、ポリウレタン糸、又はゴムと共に合成繊維が織り込まれたシート状に形成されていることがよい。合成繊維を織り込むことによって甲被部の補強効果をより高めることができるからである。
【００１９】
前記甲被部補強シートは、平面視略Ｕ字状に形成されることが好ましい。甲被部補強シートを略Ｕ字状にすると、足の甲の前部及び足の甲の側周部まで覆うことができるため、足の甲の保持力を高め、歩行時の安定性の向上を図ることができるからである。
【００２０】
このような構成により、柔軟性を有すると共に伸縮性のあるアッパーと、履き口の内周縁に縫着された伸縮性のある紐状の縁部材が婦人靴の履き易さを高めると共に、甲被部補強シートが伸縮性を保ちつつ甲被部のアッパーの剛性を高めるので、甲被部にかかる足の甲の保持力が高まり、歩行時の安定性の向上を図ることができる。
【考案の効果】
【００２１】
本考案によると、履き口が履き易く、履いた後の足の甲及び足の側面前部に対する高いフィット感を実現すると共に、歩行時に足がずれ難いよう安定性を高めることができる。
【００２２】
さらに、靴本体の履き口に足を入れるとき、足の甲の押圧力を受けてアッパーと共に縁部材が外方に拡がり、婦人靴を容易に履くことができる。
【００２３】
アッパーを構成する前記甲皮材は柔らかくしなやかな柔軟性も有するため、個人個人の足の形に添って変形することでフィット感のある履き心地を実現することができる。
【００２４】
また履いた後は、アッパーの柔軟性及び伸縮性により元の形状に復元しようとするので、個人個人の足の形状に合わせて足の甲及び足の側面前部の形状に沿って足をしっかりと保持することができる。
【００２５】
さらにまた、履き口はアッパー及び縁部材の伸縮性によってしっかりと足が保持されるため、歩行時にも婦人靴が脱げにくいという効果がある。
【００２６】
また、本考案によれば、前記甲被部補強シートが、伸縮性を有すると共にアッパーの甲被部の剛性を高めるため、当該甲被部にかかる足の甲の保持力を高め、歩行時の安定性の向上を図ることができる。また、甲被部補強シートは伸縮性も有しているため婦人靴の履き易さも維持することができる。
【図面の簡単な説明】
【００２７】
【図１】婦人靴１を示す斜視図である。
【図２】婦人靴１を示す平面図である。
【図３】本発明に係るアッパー５の裏面を示す平面図である。
【考案を実施するための形態】
【００２８】
以下、本考案について実施例に基づき更に詳細に説明する。
図１は本考案の一実施例に係る婦人靴１を示す斜視図、図２は婦人靴１を示す平面図である。
なお、この婦人靴１は、左足について説明する。
【００２９】
この婦人靴１は、ハイヒールタイプであって、靴本体２がアウトソール３、インナーソール４およびアッパー５により構成されている。そして、靴本体２の踵部８にヒール９が固着されている。また、インナーソール４は、アウトソール３の上部に保持されたミッドソール上に接合されている。
【００３０】
アッパー５は、甲被部７、及び側周囲前部１０ａを含み、爪先部６から踵部８までを覆う形状とされている。このアッパー５は、柔軟性を有すると共に伸縮性のあるポリウレタン糸を用いた天然皮革や合成皮革からなる甲皮材により形成されている。
【００３１】
甲被部７は、図１に示すように爪先部６から足の甲の前部及び足の甲の側周部までを覆うことができる。
【００３２】
縁部材１２は、紐状のゴムを用いて構成され、図１および図２に示すように、前記履き口１０の内周縁１０ｂに縫着されている。
【００３３】
甲被部補強シート１１は、図３に示す如く平面視が略Ｕ形状で、アッパー５の甲被部７の裏面を覆うように接着剤により接着保持されている。この甲被部補強シート１１は、伸縮性および通気性を有する合成樹脂シート材等が用いられている。
【００３４】
このように構成された婦人靴１は、アッパー５が柔軟性及び伸縮性を有することにより履き易いだけでなく、アッパー５が形状の復元力を備えた伸縮性を有すると共に、縁部材１２も履き口１０が径方向に伸び縮み可能な伸縮性を有していることにより、しっかりと足が保持され、歩行時にも婦人靴が脱げにくい。
【００３５】
具体的には、靴本体２の履き口１０から足を入れるとき、足の甲の押圧力を受けて履き口１０の周囲のアッパー５と共に縁部材１２が径方向外方に拡がり、婦人靴１を容易に履くことができる。
【００３６】
また、アッパー５を構成する前記甲皮材は柔らかくしなやかな柔軟性も有するため、個人個人の足の形に添って変形することでフィット感のある履き心地を実現することができる。
【００３７】
履いた後は、アッパー５が元の形状に復元しようとするので、足の甲及び足の側面前部にフィット感があり履き心地が良くなる。また、縁部材１２も履き口１０を収縮させて足をしっかりと保持する。さらに、アッパー５は、履く人の足幅や足の形状に個人差があっても、それぞれの足の形状に合わせて変形しながら形状を復元しようとする力で足を保持するので、窮屈さで痛みを感じたり、逆に、歩行時に靴内で足が移動して不安定となるといった不具合も解消される。
【００３８】
また、前記甲被部補強シート１１により甲被部７が伸縮性を備えつつ補強されている。よって、甲被部７が柔軟性を有すると共に伸縮性を保ちつつ剛性も強化され、婦人靴１の耐性が高められるうえ、歩行時の安定性もより一層向上する。
【符号の説明】
【００３９】
１      婦人靴
２      靴本体
５      アッパー
６      爪先部
７      甲被部
８      踵部
１０    履き口
１０ａ  側周囲前部
１０ｂ  内周縁
１１    甲被部補強シート
１２    縁部材
【図１】
0003157814.tif 000003
【図２】
0003157814.tif 000004
【図３】
0003157814.tif 000005